(57)【要約】【課題】  様々なサイズの表示記録媒体や複数の画像表示記録領域を有する表示記録媒体でも、書込み位置に正確に位置決めすることが可能な画像書込装置を提供する。【解決手段】  書込み位置へ搬送されてきた表示記録媒体１００に対し、表示記録媒体１００に設けられた位置決め用マーク１００ｃを位置決めマーク検出センサ２７で検出し、その検出タイミングで搬送ローラ１３Ａ，１３Ｂの回転を停止させるとともに、電磁ソレノイド２６を動作させ、表示記録媒体１００を電磁ソレノイド２６によって押圧し、表示記録媒体１００の搬送を強制的に停止させ、表示記録媒体１００を書込み位置にセットする。同時に、電圧印加端子２５Ａ，２５Ｂは、表示記録媒体１００の受電部に正確に位置合わせされる。【選択図】      図１
2005349812.tif 000002
【特許請求の範囲】
【請求項１】
画像の書換えが可能で、無電源で画像を表示可能な表示記録媒体を搬送する搬送手段と、
押圧部材により前記表示記録媒体を本体装置側に押圧する押圧手段と、
前記搬送手段および前記押圧手段を制御して前記表示記録媒体を書込み位置に搬送し、停止させる制御手段と、
前記書込み位置に位置する前記表示記録媒体に画像を書き込む書込み手段とを備えたことを特徴とする画像書込装置。
【請求項２】
前記押圧部材は、前記表示記録媒体の前記画像が書き込まれる画像表示記録領域の周辺領域に当接することを特徴とする請求項１記載の画像書込装置。
【請求項３】
前記押圧部材は、前記表示記録媒体の搬送方向に垂直な方向に沿って配置された一対の押圧部材であることを特徴とする請求項１記載の画像書込装置。
【請求項４】
前記表示記録媒体は、光の照射と電圧の印加によって前記画像が書き込まれる光書込み型表示記録媒体であることを特徴とする請求項１記載の画像書込装置。
【請求項５】
前記押圧部材は、前記表示記録媒体に前記電圧を印加するための電圧印加端子を兼ねることを特徴とする請求項４記載の画像書込装置。
【請求項６】
前記表示記録媒体は、位置決め用マークを備え、
前記制御手段は、前記位置決め用マークを検出する検出部を備え、前記検出部による前記位置決め用マークの検出に基づいて前記表示記録媒体の停止制御を行うことを特徴とする請求項１記載の画像書込装置。
【請求項７】
前記制御手段は、前記検出部が前記位置決め用マークを検出したとき、前記表示記録媒体の搬送速度を遅くして前記表示記録媒体を前記書込み位置に停止させることを特徴とする請求項６記載の画像書込装置。
【請求項８】
前記検出部は、第１および第２の検出センサからなり、
前記制御手段は、前記第１の検出センサが前記位置決め用マークを検出したとき、前記表示記録媒体の搬送速度を遅くし、前記第２の検出センサが前記位置決め用マークを検出したとき、前記表示記録媒体の搬送を停止することを特徴とする請求項６記載の画像書込装置。
【請求項９】
前記表示記録媒体は、搬送方向に設けられ、前記画像が書き込まれる複数の画像表示記録領域と、前記複数の画像表示記録領域に対応して設けられた複数の位置決め用マークとを備え、
前記制御手段は、前記検出部が前記位置決め用マークを検出する毎に前記押圧部材を駆動して前記複数の画像表示記録領域を順次前記書込み位置に停止させることを特徴とする請求項６記載の画像書込装置。
【請求項１０】
前記表示記録媒体は、前記画像が書き込まれる画像表示記録領域と、搬送方向に設けられた複数の位置決め用マークとを備え、
前記制御手段は、前記検出部が前記位置決め用マークを検出する毎に前記押圧部材を駆動して前記画像表示記録領域の各部を順次前記書込み位置に停止させることを特徴とする請求項６記載の画像書込装置。 
【発明の詳細な説明】
【技術分野】
【０００１】
本発明は、画像の書換えが可能で、無電源で画像を表示可能な表示記録媒体に画像を書き込む画像書込装置に関し、特に、様々なサイズの表示記録媒体や複数の画像表示記録領域を有する表示記録媒体でも、書込み位置に正確に位置決めすることが可能な画像書込装置に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのエネルギーを与えるだけで良く、表示を維持するためのエネルギーの印加は不要である。従って、情報の書込み後に書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型の表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶からなる表示層と、光の照射によって抵抗値が変化する光導電層とが積層されたものである。また、その表示記録媒体に画像を書き込む画像記録装置は、２次元的な光パターンを液晶パネルから表示記録媒体の光導電層に照射し、光導電層に光パターンに基づく抵抗分布を生じさせ、透明電極間に電圧を印加して、光導電層の抵抗分布に基づく分圧分布を表示層に印加し、分圧分布に応じた画像を表示層に記録するものである。
【０００６】
画像光の出射面に表示記録媒体を搬送部材により搬送し、表示記録媒体を露光部に密着させて画像を記録した後、表示記録媒体を露光部から離間させ、排出のための搬送を行う。
【０００７】
この光書込型の表示記録媒体の画像書込装置によれば、上下の電極全体に電圧を印加しながら画像情報を面状に露光することで印字が可能なため、ライン露光や走査露光などに比べ、大容量の画像情報を高速に書き込むことが可能となる。
【特許文献１】特開２００４−１０６４９５号公報（［００１５］〜［００１７］、図１、図２）
【発明の開示】
【発明が解決しようとする課題】
【０００８】
しかし、従来の画像書込装置によると、露光部に対する表示記録媒体の位置決めは、両側の各１つと先端の２つの計４つの位置決めフレームで規制しているため、Ａ４、Ａ５等のように異なる外形サイズを取り扱う場合、書込み位置に位置決めすることが難しいだけでなく、表示記録媒体ごとに媒体電極の設置位置が異なるため、媒体電極と露光部の電圧印加端子とに位置ずれを生じ、給電が行えないという問題が生じる。
【０００９】
また、表示記録媒体が、搬送方向に分割した状態で複数の表示記録領域が設けられ、この表示記録領域のそれぞれに対応して媒体電極が設けられている場合、表示記録媒体の搬送制御のみでは、それぞれの表示記録領域を書込み位置に位置合わせし、更に、媒体電極を電圧印加端子に位置合わせすることは難しい。
【００１０】
従って、本発明の目的は、様々なサイズの表示記録媒体や複数の画像表示記録領域を有する表示記録媒体でも、書込み位置に正確に位置決めすることが可能な画像書込装置を提供することにある。
【課題を解決するための手段】
【００１１】
本発明は、上記目的を達成するため、画像の書換えが可能で、無電源で画像を表示可能な表示記録媒体を搬送する搬送手段と、押圧部材により前記表示記録媒体を本体装置側に押圧する押圧手段と、前記搬送手段および前記押圧手段を制御して前記表示記録媒体を書込み位置に搬送し、停止させる制御手段と、前記書込み位置に位置する前記表示記録媒体に画像を書き込む書込み手段とを備えたことを特徴とする画像書込装置を提供する。
【発明の効果】
【００１２】
本発明の画像書込装置によれば、表示記録媒体が書込み位置に到達したタイミングで、表示記録媒体を本体装置側に押圧するようにしたので、様々なサイズの表示記録媒体や複数の画像表示記録領域を有する表示記録媒体でも、書込み位置に正確に位置決めすることが可能になる。
【発明を実施するための最良の形態】
【００１３】
［第１の実施の形態］
図１は、本発明の第１の実施の形態に係る画像書込装置を示す。この画像書込装置１は、一端に媒体収納部１１が設けられ、他端に排出部１２が設けられ、更に、搬送ローラ１３Ａ，１３Ｂが設けられるとともに排出終了センサ１７が設けられた下部筐体１０と、露光部２１およびパルス電源部２２を内蔵して下部筐体１０の上部に設置された上部筐体２０とを備えて構成されている。
【００１４】
媒体収納部１１は、複数の表示記録媒体１００を積層状態で収納するスペースを有し、底面には最下段の１枚を書込み位置へ搬送するためのベルト１４が水平に設置されている。ベルト１４の一端は駆動ローラ１５によって支持され、他端は従動ローラ１６によって支持されている。
【００１５】
排出部１２は、書込み位置から搬送された表示記録媒体１００を載置するスペースを有し、その入り側には搬送ローラ１２Ａが設けられている。
【００１６】
上部筐体２０は、上記露光部２１と、上記パルス電源部２２と、搬送ローラ１３Ａ，１３Ｂに上方向から当接する押圧ローラ２３Ａ，２３Ｂと、押圧ローラ２３Ａ，２３Ｂを下方向に付勢するスプリング２４Ａ，２４Ｂと、表示記録媒体１００の後述する受電部にパルス電源部２２からの電圧を印加する電圧印加端子２５Ａ，２５Ｂと、書込み位置に位置する表示記録媒体１００を下部筐体１０の上面に密着させるとともに電圧印加端子２５Ａ，２５Ｂを表示記録媒体１００の受電部に接触させる押圧部材としての電磁ソレノイド２６と、表示記録媒体１００に設けられている位置決め用マーク１００ｃを光学的に検出する位置決めマーク検出センサ２７と、表示記録媒体１００の給紙を検出する給紙センサ２８とを備える。
【００１７】
露光部２１は、表示記録媒体１００の画像表示記録領域と同等の大きさを有し、画像の書込みパターン光を画像表示記録領域に照射するＬＣＤ（Liquid Crystal Display）パネル２１Ａと、ＬＣＤパネル２１Ａの背面からバックライト光を照射するバックライト２１Ｂとを備える。バックライト２１Ｂには、冷陰極管、白色ＬＥＤ（発光ダイオード）、ＥＬ（エレクトローラミネッセンス）等を用いることができる。
【００１８】
なお、図示を省略しているが、媒体収納部１１からの表示記録媒体１００を左右に位置ずれしないように搬送するガイドが、上部筐体２０の上面に設けられている。また、上部筐体２０は、表示記録媒体１００のジャム等の異常時あるいはメンテナンス時のために、図示しないヒンジにより上方に開閉可能に下部筐体１０に設けられ、上部筐体２０を上方に開けたとき、下部筐体１０の上面が見えるようになっている。
【００１９】
図２は、表示記録媒体１００に対応する主要部材の配置関係を示す。同図中、（ａ）は、表示記録媒体１００と電磁ソレノイド２６の配置関係を示し、（ｂ）は、電圧印加端子２５Ａ，２５Ｂ、電磁ソレノイド２６および位置決めマーク検出センサ２７と表示記録媒体１００の配置関係を示す。
【００２０】
位置決め用マーク１００ｃは、アルミ箔等の高反射率を有する材料からなり、画像表示記録領域１１０の外側部分の下地色と反対の色を有し、その形状は長方形、丸形等の識別しやすいものにするのが好ましい。
【００２１】
位置決めマーク検出センサ２７は、検出光をマーク１００ｃに照射する発光ダイオード（ＬＥＤ）と、マーク１００ｃからの反射光を受光するフォトダイオードとかなる光検出器を用いることができる。なお、位置決めマーク検出センサは、位置決め用マークを上記の光学的の他、磁気的、熱的、機械的に検出してもよい。この場合、位置決め用マークは、検出センサの検出方式に対応したマークを用いる。
【００２２】
受電部１４８Ａ，１４８Ｂは、電圧印加端子２５Ａ，２５Ｂの間隔に一致するように配置され、更に、位置決め用マーク１００ｃと受電部１４８Ｂの間隔は、位置決めマーク検出センサ２７と電圧印加端子２５Ｂの間隔に合致させている。
【００２３】
（表示記録媒体の層構造）
図３は、表示記録媒体１００の層構造を示す模式図である。この表示記録媒体１００は、対向配置されたＰＥＴ（ポリエチレンテレフタレート）フィルムからなる一対の基板１４０Ａ，１４０Ｂと、一対の基板１４０Ａ，１４０Ｂの内側に設けられたＩＴＯ（酸化インジウム錫）からなる一対の透明電極１４１Ａ，１４１Ｂと、透明電極１４１Ａの内側に設けられ、印加電圧に応じて反射率（透過率）が変化するコレステリック液晶からなる表示層１４２と、表示層１４２の内側に隔離層１４３を介して設けられ、書込みパターン光９２の照射によって抵抗値が小さくなるように、２つの電荷発生層１４４ａ間に電荷輸送層１４４ｂを配置して形成された光導電層１４４と、光導電層１４４と透明電極１４１Ｂの間に設けられた光吸収層１４５と、基板１４０Ａの画像表示記録領域１１０の外側に所定間隔に形成された開口１４６ａ，１４６ｂと、一端が開口１４６ａの下面を塞ぎ他端が透明電極１４１Ｂに接続された延在部１４７と、開口１４６ａ内の延在部１４７に接続された導体からなる受電部１４８Ａと、開口１４６ｂ内の透明電極１４１Ｂに接続された導体からなる受電部１４８Ｂとを備える。
【００２４】
上記コレステリック液晶は、マイクロカプセル中に封入され、樹脂バインダー中に分散した構成を採用することができる。この構成を採用した場合は、表示層の流動性を制限しつつ、機械的な強度が高まるので、外部からの圧力や屈曲などの応力に対しても表示画像が変化しにくいという利点がある。
【００２５】
（画像書込装置の制御系の構成）
図４は、画像書込装置１の制御系を示す。この制御系は、画像書込装置１の全体を制御する制御部３０と、駆動ローラ１５および搬送ローラ１２Ａ，１３Ａ，１３Ｂを駆動する媒体搬送部３１と、電磁ソレノイド２６を駆動するソレノイド駆動部３２と、ＬＣＤパネル２１Ａに画像データに応じた駆動信号を供給するＬＣＤパネル駆動部３３と、バックライト２１Ｂを点灯駆動するバックライト点灯部３４と、表示記録媒体１００に書き込むべき画像データを記憶する画像データ記憶部３５と、ＬＡＮ（Local Area Network）等のネットワークに接続された通信インターフェース（Ｉ／Ｆ）３６とを備え、更に、制御部３０には、給紙センサ２８、排出終了センサ１７、位置決めマーク検出センサ２７が接続されている。
【００２６】
（第１の実施の形態の動作）
次に、この第１の実施の形態の動作を説明する。まず、複数の表示記録媒体１００を表面１００ａ（画像表示記録領域１１０）を上にして媒体収納部１１にセットする。ユーザが、図示しない操作パネルの開始ボタンを押下するか、もしくは図示しない制御部からの制御信号を画像書き込み装置に送信して書込み開始を指示すると、制御部３０は、駆動ローラ１５を駆動し、ベルト１４を回転させ、媒体収納部１１にセットされている表示記録媒体１００の内の最下段の１枚を露出部２１へ搬送する。
【００２７】
ベルト１４によって搬送の開始された表示記録媒体１００の先端が、給紙センサ２８に到達すると、制御部３０は、媒体搬送部３１を動作させ、搬送ローラ１３Ａ，１３Ｂを回転駆動する。表示記録媒体１００が、搬送ローラ１３Ａと押圧ローラ２３Ａにニップされると、露光部２１の下面に搬入され、更に、搬送ローラ１３Ｂと押圧ローラ２３Ｂにニップされる。この搬送の過程で、表示記録媒体１００の位置決め用マーク１００ｃが、位置決めマーク検出センサ２７によって検出される。このマーク検出は制御部３０に通知される。
【００２８】
制御部３０は、搬送ローラ１３Ａ，１３Ｂを停止させるとともに、ソレノイド駆動部３２を駆動し、電磁ソレノイド２６の可動部を下降させ、表示記録媒体１００を下部筐体１０側に押し付け、表示記録媒体１００の搬送を強制的に停止させる。同時に、電圧印加端子２５Ａ，２５Ｂが、表示記録媒体１００の受電部１４８Ａ，１４８Ｂに接触する。これにより、表示記録媒体１００は、書込み位置に正確にセットされる。
【００２９】
ついで、制御部３０は、ＬＣＤパネル駆動部３３、パルス電源部２２およびバックライト点灯部３４を駆動する。パルス電源部２２が動作することにより、電圧印加端子２５Ａ，２５Ｂ、受電部１４８Ａ，１４８Ｂを介して表示記録媒体１００の透明電極１４１Ａ，１４１Ｂ間にパルス電圧が印加される。また、バックライト点灯部３４の動作によりバックライト２１Ｂが点灯し、そのバックライト光はＬＣＤパネル２１Ａの背面に照射される。また、ＬＣＤパネル２１Ａは、画像データ記憶部３５に記憶されている画像データに基づいて表示動作をし、その画像光を表示記録媒体１００の表面に書込みパターン光９２として照射する。
【００３０】
書込みパターン光９２は、表示記録媒体１００の表面１００ａ側の基板１４０Ａ、透明電極１４１Ａ、表示層１４２および隔離層１４３を通過して光導電層１４４を照射する。光導電層１４４は、書込みパターン光９２が照射されると抵抗値が小さくなり、それにより、光導電層１４４とのインピーダンス比で決まる表示層１４２の分圧が増加し、一定以上の閾値を越えた電圧が印加された後に、表示層１４２における光反射率が大きい状態で保持される。従って、画像書込み領域１１０を表面１００ａの方向９１から見た場合、書込みパターン光９２が照射された領域は、照明光９３を受けて表示層１４２で反射し、表示光９４として白く見える。逆に、書込みパターン光９２が照射されていない領域は、表示層１４２を通過して光吸収層１４５で吸収されるため、黒く見える。なお、表示記録媒体１００に書き込むべき画像データは、外部装置から通信Ｉ／Ｆ３６を介して取り込んでもよい。
【００３１】
画像の書込みが終了すると、制御部３０は、ソレノイド駆動部３２、ＬＣＤパネル駆動部３３、パルス電源部２２およびバックライト点灯部３４の駆動を終了させ、電磁ソレノイド２６による表示記録媒体１００の押圧および露光部２１の駆動を終了させる。ついで、制御部３０は、媒体搬送部３１を駆動し、搬送ローラ１３Ａ，１３Ｂ，１２Ａを回転させ、書込み位置にある表示記録媒体１００を排出部１２へ搬送する。その搬送過程で排出終了センサ１７が動作する。
【００３２】
制御部３０は、排出終了センサ１７からの検出信号に基づいて、２枚目以降の表示記録媒体１００を同様に搬送、書込み、排出を行う。
【００３３】
（第１の実施の形態の効果）
この第１の実施の形態によれば、以下の効果が得られる。
（イ）位置決めマーク検出センサ２７が、表示記録媒体１００の位置決め用マーク１００ｃを検出したことに基づいて表示記録媒体１００の搬送を強制的に停止させるため、表示記録媒体１００を書込み位置に正確に位置合わせをすることが可能になる。特に、表示記録媒体１００のサイズ等が異なる場合に有効である。
（ロ）複数の表示記録媒体１００を媒体収納部１１に一括して収納しておくことで、以後は、１枚ずつ搬送、画像書込み、排出という一連の動作が自動的に行われるため、画像の書込みを高速化することができる。
【００３４】
［第２の実施の形態］
図５は、本発明の第２の実施の形態に係る画像書込装置の主要部を示す。同図中、（ａ）は、電磁ソレノイド２６を表示記録媒体１００の後端部に押圧できるように配置したものであり、（ｂ）は、電磁ソレノイド２６を表示記録媒体１００の前端部に押圧できるように配置したものである。その他の構成は、第１の実施の形態と同様である。いずれの場合も、電磁ソレノイド２６は画像表示記録領域１１０の外側に配置される。なお、表示記録媒体１００の搬送、画像書込み、排出のそれぞれの動作は、第１の実施の形態と同様であるので、説明は省略する。
【００３５】
この第２の実施の形態によれば、第１の実施の形態により得られる効果のほか、電磁ソレノイド２６を表示記録媒体１００中央部以外の場所に設置できるため、設計の自由度を高めることができる。
【００３６】
［第３の実施の形態］
図６は、本発明の第３の実施の形態に係る画像書込装置の主要部の構成を示す。本実施の形態は、１つの電磁ソレノイド２６に電圧印加端子２５Ａ，２５Ｂを一体化したものであり、その他の構成は、第１の実施の形態と同様である。また、表示記録媒体１００の搬送、画像書込み、排出のそれぞれの動作は、第１の実施の形態と同様であるので、説明は省略する。
【００３７】
この第３の実施の形態によれば、第１の実施の形態により得られる効果のほか、電磁ソレノイド２６に電圧印加端子２５Ａ，２５Ｂを一体化したことにより、電圧印加端子２５Ａ，２５Ｂの駆動機構の簡略化および省スペース化を図ることができる。
【００３８】
［第４の実施の形態］
図７は、本発明の第４の実施の形態に係る画像書込装置を示す。本実施の形態の画像書込装置１は、搬送方向に複数の画像表示記録領域１１０を有する表示記録媒体２００を画像の書込み対象とするように構成されており、他は第１の実施の形態と同様に構成されている。
【００３９】
表示記録媒体２００は、搬送方向に２つの画像表示記録領域１１０Ａ，１１０Ｂを有し、これらの画像表示記録領域１１０Ａ，１１０Ｂに対応して２つの位置決め用マーク１００ｃ、および２組の受電部１４８Ａ，１４８Ｂを設けている。
【００４０】
画像書込装置１は、２組の受電部１４８Ａ，１４８Ｂに電圧を印加する電圧印加端子２５Ａ，２５Ｂを一対有し、２つの位置決め用マーク１００ｃを検出する位置決めマーク検出センサ２７を１つ有する。
【００４１】
なお、表示記録媒体２００は、搬送方向に３つ以上の画像表示記録領域１１０を有するものでもよい。また、電磁ソレノイド２６は、左右一対設けてもよい。
【００４２】
下部筐体１０の上面の手前には、ユーザによって操作される操作部４０が設けられている。この操作部４０は、書き込む画像の濃度を調整する調整ボタン４１と、表示記録媒体２００を強制的に排出する強制排出ボタン４２と、画像のページ切替えを指示する次ページボタン４３を備えている。
【００４３】
（画像書込装置の動作）
制御部３０によりベルト１４が駆動されて、表示記録媒体２００が媒体収納部１１から搬送されると、画像表示記録領域１１０Ａの位置決め用マーク１００ｃが位置決めマーク検出センサ２７の直下に到達したタイミングで搬送ローラ１３Ａ，１３Ｂが停止するとともに電磁ソレノイド２６が動作し、画像表示記録領域１１０Ａが書込み位置にセットされる。この状態で、第１の実施の形態で説明したようにして、画像表示記録領域１１０Ａへの書込みが行われる。
【００４４】
画像表示記録領域１１０Ａへの書込みが終了すると、搬送ローラ１３Ａ，１３Ｂ，１２Ａが駆動され、表示記録媒体２００の搬送が開始される。この搬送の過程で、画像表示記録領域１１０Ｂの位置決め用マーク１００ｃが位置決めマーク検出センサ２７の直下に到達すると、搬送ローラ１３Ａ，１３Ｂ，１２Ａが停止するとともに電磁ソレノイド２６が動作し、画像表示記録領域１１０Ｂが書込み位置にセットされる。この状態で、第１の実施の形態で説明したようにして、画像表示記録領域１１０Ｂへの書込みが行われる。この書込みが終了すると、搬送ローラ１３Ａ，１３Ｂ，１２Ａが駆動され、表示記録媒体２００が排出部１２へ排出される。排出終了センサ１７が排出を検出すると、搬送ローラ１３Ａ，１３Ｂ，１２Ａの駆動が停止する。以上により、表示記録媒体２００への書込みが終了する。
【００４５】
（第４の実施の形態の効果）
この第４の実施の形態によれば、位置決め用マーク１００ｃの検出に基づいて表示記録媒体１００の搬送を強制的に停止させるため、表示記録媒体１００が複数の画像表示記録領域１１０を有する場合でも、それぞれの画像表示記録領域１１０を書込み位置に対して正確に位置合わせをすることが可能になる。
【００４６】
［第５の実施の形態］
図８は、本発明の第５の実施の形態に係る画像書込装置に用いられる表示記録媒体の層構造を示す。この表示記録媒体に書込みを行う画像書込装置の構成および動作は、第１の実施の形態と同じであるので説明を省略する。
【００４７】
（表示記録媒体の層構造）
この表示記録媒体１００は、図３の表示記録媒体１００において、表示層１４２と光導電層１４４の配置を入れ替えるとともに、光吸収層１４５を表示層１４２と光導電層１４４との間に設け、更に隔離層１４３を除去した構成としている。その他の構成は、図３に示した表示記録媒体１００と同じである。
【００４８】
図８の表示記録媒体１００は、図３の表示記録媒体１００と同様の原理で書込みが行われる。ただし、書込みは、書込みパターン光９２が基板１４０Ａおよび透明電極１４１Ａを通して光導電層１４４に照射されることにより行われ、見る方向は、書込みパターン光９２の照射方向とは逆の裏面１００ｂ側の方向９１になる。
【００４９】
［他の実施の形態］
なお、本発明は、上記各実施の形態に限定されず、その要旨を変更しない範囲内で種々な変形が可能であり、各実施の形態間の構成要素の組合せは任意に行うことができる。例えば、露光部２１は、表示記録媒体１００の上側に配置したが、下部筐体１１内に配置してもよい。同様に、位置決めマーク検出センサ２７も下部筐体１１内に配置することができる。また、表示記録媒体１００を停止させる手段として電磁ソレノイド２６を用いたが、他の手段、例えば、エアシリンダ等を用いてもよい。
【００５０】
また、位置決めマーク検出センサ２７が位置決め用マーク１００ｃを検出したとき、搬送速度を遅くし、その後、時間制御あるいはパルス制御により表示記録媒体1１００を書込み位置に停止させてもよい。また、位置決めマーク検出センサ２７を２つ設け、一つ目の検出センサ２７が位置決め用マーク１００ｃを検出したとき、搬送速度を遅くし、２つ目の検出センサ２７が位置決め用マーク１００ｃを検出したとき、搬送を停止してもよい。これにより、表示記録媒体１００の位置決めを正確に行うことができる。
【００５１】
また、ＬＣＤパネル２１Ａに代えて、ＥＬ（エレクトロルミネッセンス）ディスプレイ、ＰＤＰ（プラズマディスプレイ）、ＶＦＤ（蛍光表示管ディスプレイ）、ＦＥＤ（電界放出ディスプレイ）等のフラットディスプレイや、ＣＲＴディスプレイを用いてもよい。さらに、プロジェクタから画像光を投影してもよく、フラットディスプレイ、ＣＲＴディスプレイ等の表示装置と結像光学系とを組み合わせた投影装置によって画像を書き込んでもよい。
【００５２】
また、メモリ性を有する表示記録媒体として、上記の他に、ロイコ染料を用いた感熱記録媒体や、強誘電液晶に代表されるメモリ性を有する液晶や、帯電した粒子を液中で移動させて表示を切り替える電気泳動方式、帯電した粒子を空気中で移動させて表示を切り替えるトナーディスプレイ方式、帯電した粒子を回転させて表示を切り替える粒子回転方式、磁気により粒子を移動させて表示を切り替える磁気泳動方式等の他の表示記録媒体を用いてもよい。
【図面の簡単な説明】
【００５３】
【図１】本発明の第１の実施の形態に係る画像書込装置の断面図である。
【図２】本発明の第１の実施の形態に係る表示記録媒体に対する主要部材の配置関係を示し、（ａ）は、表示記録媒体と電磁ソレノイドの配置関係を示す平面図、（ｂ）は、電圧印加端子、電磁ソレノイドおよび位置決めマーク検出センサと表示記録媒体の配置関係を示す断面図である。
【図３】本発明の第１の実施の形態に係る表示記録媒体の層構造を示す模式図である。
【図４】本発明の第１の実施の形態に係る画像書込装置の制御系を示すブロック図である。
【図５】本発明の第２の実施の形態に係る画像書込装置の主要部を示し、（ａ）は、電磁ソレノイドを表示記録媒体の後端部に押圧できるように配置した状態を示す断面図、（ｂ）は、電磁ソレノイドを表示記録媒体の前端部に押圧できるように配置した状態を示す断面図である。
【図６】本発明の第３の実施の形態に係る画像書込装置の主要部の構成を示す断面図である。
【図７】本発明の第４の実施の形態に係る画像書込装置を示す平面図である。
【図８】本発明の第５の実施の形態に係る画像書込装置に用いられる表示記録媒体の層構造を示す模式図である。
【符号の説明】
【００５４】
１  画像書込装置
１０  下部筐体
１１  媒体収納部
１２  排出部
１２Ａ，１３Ａ，１３Ｂ  搬送ローラ
１４  ベルト
１５  駆動ローラ
１６  従動ローラ
１７  排出終了センサ
２０  上部筐体
２１  露光部
２１Ａ  ＬＣＤパネル
２１Ｂ  バックライト
２２  パルス電源部
２３Ａ，２３Ｂ  押圧ローラ
２４Ａ，２４Ｂ  スプリング
２５Ａ，２５Ｂ  電圧印加端子
２６  電磁ソレノイド
２７  位置決めマーク検出センサ
２８  給紙センサ
３０  制御部
３１  媒体搬送部
３２  ソレノイド駆動部
３３  ＬＣＤパネル駆動部
３４  バックライト点灯部
３５  画像データ記憶部
４０  操作部
４１  調整ボタン
４２  強制排出ボタン
４３  次ページボタン
９１  方向
９２  パターン光
９３  照明光
９４  表示光
１００  表示記録媒体
１００ａ  表面
１００ｂ  裏面
１００ｃ  位置決め用マーク
１１０，１１０Ａ，１１０Ｂ  画像表示記録領域
１４０Ａ，１４０Ｂ  基板
１４１Ａ，１４１Ｂ  透明電極
１４２  表示層
１４３  隔離層
１４４  光導電層
１４４ａ  電荷発生層
１４４ｂ  電荷輸送層
１４５  光吸収層
１４６ａ，１４６ｂ  開口
１４７  延在部
１４８Ａ，１４８Ｂ  受電部
２００  表示記録媒体
【図１】
2005349812.tif 000003
【図２】
2005349812.tif 000004
【図３】
2005349812.tif 000005
【図４】
2005349812.tif 000006
【図５】
2005349812.tif 000007
【図６】
2005349812.tif 000008
【図７】
2005349812.tif 000009
【図８】
2005349812.tif 000010